(57)【要約】【課題】所定の時間当りに搬送する枚葉物の多少に関わらず、枚葉物を高速で搬送できる枚葉物搬入装置を提供する。【解決手段】枚葉物搬入装置１は、一辺及び他辺が直交する矩形の枚葉物Ｓを矢印Ｙで指した第１の搬送方向に搬送する第１の搬送手段２と、第１の搬送手段２に搬送される枚葉物Ｓを加速し第１の搬送方向の前途に枚葉物Ｓを落下させる加速手段３と、加速手段３から落下した枚葉物Ｓを矢印Ｘで指した第２の搬送方向に搬送する第２の搬送手段４とを備える。第１の搬送方向と第２の搬送方向とは直交している。【選択図】図１
2008265910.tif 000002
【特許請求の範囲】
【請求項１】
枚葉物を搬送する第１の搬送手段と、
前記第１の搬送手段に搬送される枚葉物を加速し、前記第１の搬送手段が枚葉物を搬送する搬送方向の前途に、前記枚葉物を落下させる加速手段と、
前記加速手段から落下する枚葉物を受止め、前記枚葉物を前記搬送方向に直交する方向に搬送する第２の搬送手段と、
を備えることを特徴とする枚葉物搬入装置。
【請求項２】
一辺及び他辺が互いに直交する矩形の枚葉物を牽引する第１牽体を有し、前記枚葉物を前記第１牽体の走行に従わせて搬送する過程で、前記第１牽体の上方に突出する丁合爪に、前記枚葉物の一辺を突合わせる第１の搬送手段と、
前記第１の搬送手段に搬送される枚葉物を加速し、前記第１の搬送手段が枚葉物を搬送する搬送方向の前途に、前記枚葉物を落下させる加速手段と、
前記加速手段から落下する枚葉物が、前記搬送方向へ移動できる距離を規定するストッパと、
前記加速手段から落下した枚葉物を、前記搬送方向に直交する方向に牽引する第２牽体を有し、前記枚葉物を前記第２牽体の走行に従わせて搬送する過程で、前記第２牽体の上方に突出する丁合爪に、前記枚葉物の他辺を突合わせる第２の搬送手段と、
前記第２の搬送手段に搬送される枚葉物を、前記第２の搬送手段から押し出す押出手段と、
を備えることを特徴とする枚葉物搬入装置。
【請求項３】
前記第２の搬送手段が、互いに前記搬送方向に隔たり、且つ前記枚葉物を滑動自在に支持できる複数条の支持体を備え、
前記複数条の支持体の間に、複数の前記第２牽体を配置し、前記複数条の支持体が、前記加速手段から前記搬送方向の前途へ離れるに従い前記枚葉物を支持する位置を順次低くしたことを特徴とする請求項２に記載の枚葉物搬入装置。
【請求項４】
前記加速手段は、前記第１の搬送手段が前記枚葉物を搬送する速度よりも速く、前記枚葉物を搬送する高速搬送手段と、
前記枚葉物に転がり接触し、前記枚葉物を前記高速搬送手段に押え付けるウェイトローラと、
を備えることを特徴とする請求項１乃至３の何れかに記載の枚葉物搬入装置。
【請求項５】
前記加速手段から落下する枚葉物に、下向きの気流を送る送風手段を備えることを特徴とする請求項１乃至４の何れかに記載の枚葉物搬入装置。
【発明の詳細な説明】
【技術分野】
【０００１】
本発明は、紙片又は冊子等の枚葉物を搬入するための枚葉物搬入装置に関する。
【背景技術】
【０００２】
宣伝広告のチラシ等を枚葉物として封筒に挿入する場合、図６に示すように、封筒詰め装置１００のべルトコンベヤ１０１に、郵便用の定型封筒Ｅを載せる。そして、一対のガイドレール１０２に、枚葉物Ｓをその短辺が定型封筒Ｅに対向する姿勢で支持させ、べルトコンベヤ１０１が定型封筒Ｅを矢印Ｘで指した方向へ搬送する速度に一致する速度で、一対のガイドレール１０２を走行させる。この過程で、図に表れていないプッシャーが枚葉物Ｓを矢印Ｙで指した方向へ押し出すことにより、枚葉物Ｓを定型封筒Ｅに挿入することができる。
【０００３】
封筒詰め装置１００は、ガイドレール１０２以外に図に表れていない複数のガイドレールを対にして備え、これらのガイドレールを順次走行させる。封筒詰め装置１００が上記の動作を実行する毎に、枚葉物Ｓは搬入コンベヤ１０３によってガイドレール１０２に搬入される。符号１０４は、上記のプッシャーを矢印Ｙで指した方向へ案内するカムレールを指している。符号１０５は、一対のガイドレール１０２を定型封筒Ｅに接近するよう案内するカムレールを指している。
【特許文献１】特開平５−１３２０１１号公報
【特許文献２】特開平１１−２６８８４５号公報
【発明の開示】
【発明が解決しようとする課題】
【０００４】
封筒詰め装置１００が所定の時間当りに枚葉物Ｓを挿入できる定型封筒Ｅの数は、封筒詰め装置１００の能力に依存するので、これに同期するように搬入コンベヤ１０３が枚葉物Ｓを搬入する速度を調整しなければならない。しかしながら、丁合装置を用いて複数の枚葉物Ｓを互いに揃えて重ね合わせる場合、丁合装置の動作を搬入コンベヤ１０３に同期させるのは難しい。特に、多数の枚葉物Ｓを高速で丁合装置から搬入コンベヤ１０３へ搬送する場合、枚葉物Ｓが両者間を乗り移るタイミングが狂いやすく、丁合装置から搬入コンベヤ１０３に先行の枚葉物Ｓが乗り移った直後に、この枚葉物Ｓに後続の枚葉物Ｓが重なるという不具合が起こる。
【０００５】
そこで、本発明は、所定の時間当りに搬送する枚葉物の多少に関わらず、枚葉物を高速で搬送できる枚葉物搬入装置を提供することを目的とする。
【課題を解決するための手段】
【０００６】
本発明に係る枚葉物搬入装置は、枚葉物を搬送する第１の搬送手段と、前記第１の搬送手段に搬送される枚葉物を加速し前記第１の搬送手段が枚葉物を搬送する搬送方向の前途に、前記枚葉物を落下させる加速手段と、前記加速手段から落下する枚葉物を受止め前記枚葉物を前記搬送方向に直交する方向に搬送する第２の搬送手段とを備えることを特徴とする。
【０００７】
また、本発明に係る枚葉物搬入装置は、一辺及び他辺が互いに直交する矩形の枚葉物を牽引する第１牽体を有し、前記枚葉物を前記第１牽体の走行に従わせて搬送する過程で、前記第１牽体の上方に突出する丁合爪に前記枚葉物の一辺を突合わせる第１の搬送手段と、前記第１の搬送手段に搬送される枚葉物を加速し前記第１の搬送手段が枚葉物を搬送する搬送方向の前途に前記枚葉物を落下させる加速手段と、前記加速手段から落下する枚葉物が前記搬送方向へ移動できる距離を規定するストッパと、前記加速手段から落下した枚葉物を前記搬送方向に直交する方向に牽引する第２牽体を有し、前記枚葉物を前記第２牽体の走行に従わせて搬送する過程で、前記第２牽体の上方に突出する丁合爪に前記枚葉物の他辺を突合わせる第２の搬送手段と、前記第２の搬送手段に搬送される枚葉物を前記第２の搬送手段から押し出す押出手段とを備えることを特徴とする。
【０００８】
更に、本発明に係る枚葉物搬入装置は、前記第２の搬送手段が、互いに前記搬送方向に隔たり、且つ前記枚葉物を滑動自在に支持できる複数条の支持体を備え、前記複数条の支持体の間に、複数の前記第２牽体を配置し、前記複数条の支持体が、前記加速手段から前記搬送方向の前途へ離れるに従い前記枚葉物を支持する位置を順次低くしたことを特徴とする。
【０００９】
更に、本発明に係る枚葉物搬入装置は、前記加速手段が前記第１の搬送手段が前記枚葉物を搬送する速度よりも速く前記枚葉物を搬送する高速搬送手段と、前記枚葉物に転がり接触し前記枚葉物を前記高速搬送手段に押え付けるウェイトローラとを備えることを特徴とする。
【００１０】
更に、本発明に係る枚葉物搬入装置は、前記加速手段から落下する枚葉物に、下向きの気流を送る送風手段を備えることを特徴とする。
【発明の効果】
【００１１】
本発明に係る枚葉物搬入装置によれば、第１の搬送手段に搬送される枚葉物を、加速手段が第１の搬送方向の前途に向けて加速し、第２の搬送手段が加速手段から落下する枚葉物を受止めた時点で、この枚葉物を第２の搬送手段が搬送する。これにより、直ちに枚葉物は第１の搬送方向に直交する方向に移動するので、第１の搬送手段に搬送される枚葉物が、加速手段から第２の搬送手段に落下する間に、これに先行して第２の搬送手段に受止められた枚葉物が加速手段の前途から逸れる。従って、当該枚葉物搬入装置によれば、第２の搬送手段に受止められた枚葉物に、加速手段から落下する後続の枚葉物が重なるという不具合を避けることができる。
【００１２】
また、本発明に係る枚葉物搬入装置によれば、枚葉物が一辺及び他辺を互いに直交させた矩形である場合、複数重なる枚葉物を重ね合わせ、これら複数重なる枚葉物を第１の搬送手段が第１牽体の走行に従わせて搬送できる。この過程で、複数重なる枚葉物は、それぞれの一辺を第１牽体の上方に突出する丁合爪に突合わされ、この丁合爪に沿うよう揃えられる。また、加速手段によって加速される複数重なる枚葉物が、加速手段の前途へ移動できる距離は、ストッパによって規定されるので、複数重なる枚葉物が加速手段から落下するときに、個々の枚葉物の姿勢を一様に整えられる。これにより、加速手段から落下した複数重なる枚葉物を、それぞれの一辺が揃った状態を保たせながら、第２の搬送手段に位置決めすることができる。
【００１３】
続いて、複数重なる枚葉物が第２の搬送手段に受止められ、第２の搬送手段が複数重なる枚葉物を搬送する過程で、複数重なる枚葉物は、それぞれの他辺を第２牽体の上方に突出する丁合爪に突合わされ、この丁合爪に沿うよう揃えられる。従って、当該枚葉物搬入装置によれば、複数重なる枚葉物を搬送する過程で、複数重なる枚葉物のそれぞれの一辺及び他辺が互いに合致するように、複数重なる枚葉物を丁合することができる。更に、第２の搬送手段に受止められた枚葉物は第２の搬送手段にて搬送され、最後に押出手段が枚葉物を第２の搬送手段から押し出すことにより、枚葉物を第２の搬送手段の前途へ積極的に移動させることができる。
【００１４】
また、加速手段が第１の搬送手段に搬送される枚葉物を加速し、これにより、第１牽体が走行する速度を上回る速度で、枚葉物を第１の搬送方向へ移動させられるので、枚葉物が第１の搬送手段から加速手段に達した時点で、この枚葉物を直ちに第１の搬送手段から引き離すことができる。従って、第１の搬送手段が枚葉物を搬送する途中で緊急停止する事態になっても、第１の搬送手段と第２の搬送手段との間に枚葉物が詰まることがないので、当該枚葉物搬入装置を再稼動させるときに、枚葉物を両者の間から取り除く手間が不要である。
【００１５】
更に、本発明に係る枚葉物搬入装置によれば、互いに第１の搬送方向に隔たる複数条の支持体が、枚葉物を支持する高さを、加速手段から第１の搬送方向の前途へ離れるに従い下げているので、加速手段から複数条の支持体の間に配置された第２牽体に向って落下する枚葉物が、支持体と第２牽体との間に落ち込むのを予防することができる。
【００１６】
更に、加速手段の高速搬送手段は、第１の搬送手段が枚葉物を搬送する速度より速く同枚葉物を搬送できるので、第１の搬送手段に搬送される枚葉物が加速手段に達した時点で、高速搬送手段は第１の搬送方向の前途へ牽引できる。この状態で、枚葉物に転がり接触するウェイトローラが同枚葉物を高速搬送手段に押え付けるので、枚葉物が高速搬送手段に対して滑るのを抑制できる。
【００１７】
また、複数重なる枚葉物を重ね合わせ、これら複数重なる枚葉物を第１の搬送手段が搬送する場合、複数重なる枚葉物が高速搬送手段に牽引されるとき、これらの枚葉物同士の間に滑りが生じるのを上記のウェイトローラの作用で抑制できる。このため、複数重なる枚葉物をそれぞれの一辺が揃った状態を保たせながら、加速手段から第２の搬送手段まで落下させることができる。
【００１８】
更に、送風手段が、加速手段から落下する枚葉物に下向きの気流を送ることにより、枚葉物の落下を助成できる。これにより、枚葉物が受ける空気抵抗による影響を少なくし、枚葉物が加速手段から第２の搬送手段まで落下するのに要する時間を所望に設定することができる。
【発明を実施するための最良の形態】
【００１９】
図１に示すように、枚葉物搬入装置１は、一辺及び他辺が直交する矩形の枚葉物Ｓを矢印Ｙで指した第１の搬送方向に搬送する第１の搬送手段２と、第１の搬送手段２に搬送される枚葉物Ｓを加速し第１の搬送方向の前途に枚葉物Ｓを落下させる加速手段３と、加速手段３から落下した枚葉物Ｓを矢印Ｘで指した第２の搬送方向に搬送する第２の搬送手段４とを備える。第１の搬送方向と第２の搬送方向とは直交している。
【実施例１】
【００２０】
以下に述べるコンベヤは、回転機にて駆動される回転輪に、無端状のチェーン又はベルト等の牽体を巻掛し、この牽体を回転輪の駆動に従わせて走行させるものである。この他、自明の技術については、その図示又は説明を省略する。
【００２１】
図１に示すように、枚葉物Ｓは、その一辺より他辺を長くした長方形であるので、本実施例では、枚葉物Ｓの一辺及び他辺をそれぞれ短辺及び長辺として区別する。枚葉物Ｓの長辺を第１の搬送方向に一致させているのは、次の理由による。
【００２２】
図２にブロック図で示すように、フィーダＦ１から第１の搬送手段２に送り出されるＡ３サイズの枚葉物Ｓ１を二つ折りにし、その間に折込みとしてＡ４サイズの枚葉物Ｓ２を挟む場合、枚葉物Ｓ１の折目をフィーダＦ２の反対側に向けておけば、フィーダＦ２は、第１の搬送手段２の側方から二つ折りの枚葉物Ｓ１の間へ枚葉物Ｓ２を投入できる。このため、枚葉物Ｓ２の長手方向を第１の搬送方向に一致させることが望ましい。一方、定型封筒Ｅはその長手方向の一端に口部Ｏを開放している。このため、第２の搬送手段４が、二つ折りの枚葉物Ｓ１を第１の搬送方向に直交する方向に搬送すれば、枚葉物Ｓ１と共にこの間に挟まれた枚葉物Ｓ２の短辺を、封筒Ｅの口部Ｏに対向させることができる。
【００２３】
第１の搬送手段２は、図１に示すように、第１の搬送方向に延びる３条の支持体２１の間に、２本の第１牽体２２を配置したコンベヤである。個々の第１牽体２２には、その上方へ突出する複数の丁合爪２３が、第１の搬送方向に等間隔で設けられている。２本の第１牽体２２は相互に同じ速度で走行する。符号２４は、搬送手段２の終端に配置された回転輪を指している。
【００２４】
加速手段３は、回転輪３１，３２に巻掛された３本の牽体３３を有する高速搬送手段３４と、図３に示す牽体３３の上方にスイングアーム３５で懸架されたウェイトローラ３６，３７とを備える。高速搬送手段３４は、第１の搬送手段２の第１牽体２２が走行する速度の１．５〜２倍の速さで、３本の牽体３３を走行させるコンベヤである。回転輪３１，３２の軸間の距離は枚葉物Ｓの長辺の長さ以下であることが望ましい。第１の搬送手段２の筐体にはステー３８が固定されている。スイングアーム３５は、ステー３８にピン接合した基端を支点として自由に旋回できるので、ウェイトローラ３６はその自重で下降する。ウェイトローラ３７についても同様である。符号２５は、高速搬送手段３４の回転輪３１、及び第１の搬送手段２の回転輪２４を支持する軸を指している。
【００２５】
第２の搬送手段４は、図１に示すように、第２の搬送方向に延びる４条の支持体４１の間に、３本の第２牽体４２を配置したコンベヤである。個々の第２牽体４２には、その上方へ突出する複数の丁合爪４３が、第２の搬送方向に等間隔で設けられている。３本の第２牽体４２は相互に同じ速度で走行する。４条の支持体４１は、図４に示すように、互いに第１の搬送方向に隔たり、それぞれの上面４１１〜４１４が、加速手段３から離れるに従い順次低くなる。上面４１１，４１２は同じ高さでも良い。
【００２６】
第２の搬送手段４の終端には、図１に示すように押出手段５が設けられている。押出手段５は、４個の高速ローラ５１を、第２の搬送手段４の回転輪４４と共に軸４５で支持し、回転輪４４が回転する速度の１．５〜２倍の速さで高速ローラ５１を回転機にて回転させるものである。或いは、押出手段５として、上記の高速搬送手段と同様のコンベヤを適用しても良い。符号４６，４７は、第２の搬送手段４の始端に配置された回転輪、及びその軸を各々指している。
【００２７】
更に、枚葉物搬入装置１は、図４に示すように、加速手段３に対して第２の搬送手段４を隔てた位置にストッパ６を設けている。ストッパ６は、加速手段３から落下する枚葉物Ｓが、第１の搬送方向の前途へ移動できる距離を規定するための板材である。ストッパ６の背面に接合された進退棒６１は、第２の搬送手段４の筐体に固定されたステー６２に、ハンドル付きボルト６３で締付けられている。ハンドル付きボルト６３を緩めると、ストッパ６を第１の搬送方向に移動させることができる。
【００２８】
また、図５に示すように、加速手段３とストッパ６との間の上方に、空気を下向きに送る送風手段７を設置しても良い。下向きとは、鉛直方向、又は鉛直に対して傾斜する方向へ下降することを意味する。送風手段７として、コンプレッサで加圧された空気、又は工場に配管されたエアラインから供給される圧縮空気を噴射できるノズルを適用しても良い。この他、エアブロワを用いて下向きの気流を発生させても良い。
【００２９】
次に、枚葉物搬入装置１の動作について説明する。枚葉物搬入装置１は、オペレータの指令、センサ類からの電気信号、又は既述の駆動源と電磁弁を制御するコンピューターがアクセスできる記憶媒体に書き込まれたプログラムに基づいて動作する。また、図面は特に断らない限り図１を参照する。
【００３０】
第１の搬送手段２の側方に配置されたフィーダ等から枚葉物Ｓが最初に送り出される。この枚葉物Ｓは第１の搬送手段２の支持体２１に受止められる。牽体２２は第１の搬送方向に走行しているので、枚葉物Ｓはその短辺を直ちに丁合爪２３に掛止される。この状態で、枚葉物Ｓは、第１牽体２２の走行に従い搬送される。枚葉物Ｓは１枚であっても良いが、同形の枚葉物Ｓを複数重ね合わせても良い。第１の搬送手段２は、複数重なる枚葉物Ｓを丁合爪２３で掛止し、これらの枚葉物Ｓを同時に搬送することができる。この過程で、個々の枚葉物Ｓの短辺が丁合爪２３に突合わされ、複数重なる枚葉物Ｓのそれぞれの短辺同士が揃えられる。
【００３１】
第１の搬送手段２により更に搬送される枚葉物Ｓは、図３に示すように、高速搬送手段３４の牽体３３に乗り上げる。この状態で、複数重なる枚葉物Ｓのうち牽体３３に接する枚葉物が牽体３３によって高速で牽引されると同時に、ウェイトローラ３６が複数重なる枚葉物Ｓを牽体３３に押え付ける。これにより、牽体３３に接する上記の枚葉物が牽体３３に対して滑るのを抑制でき、しかも複数重なる枚葉物Ｓ同士の間に滑りが生じることも抑制できる。
【００３２】
従って、加速手段３は、複数重なる枚葉物Ｓのそれぞれの短辺同士を揃えた状態を保たせながら、複数重なる枚葉物Ｓを同時に第１の搬送方向の前途へ向けて加速することができる。ウェイトローラ３７は、高速搬送手段３４の終端に達した枚葉物Ｓを牽体３３に押え付けるものであり、加速手段３の終端から飛び出す直前の枚葉物Ｓに対して、ウェイトローラ３６と同様に作用する。
【００３３】
また、上記のように高速搬送手段３４は、第１の搬送手段２よりも速く枚葉物Ｓを移動させられるので、第１の搬送手段２の丁合爪２３が図３に仮想線で示す位置に達する前に、枚葉物Ｓを丁合爪２３から引き離すことができる。このため、同図に仮想線で示す位置に達した丁合爪２３の下側に、枚葉物Ｓが巻込まれることはない。
【００３４】
加速手段３の終端から飛び出した枚葉物Ｓは、図４に示す第２の搬送手段４まで落下する。加速手段３の高速搬送手段３４から第２の搬送手段４の上面４１１までの落差は、１０ｃｍ前後であることが好ましい。また、図５に示す送風手段７が、下向きの気流を噴射することにより、枚葉物Ｓの落下を助成しても良い。この場合、枚葉物Ｓが落下時に受ける空気抵抗、又は枚葉物搬入装置１の周囲に自然に起こる気流による影響を少なくし、枚葉物Ｓが加速手段３から飛び出した後、第２の搬送手段４に受止められるまでの時間を、所望に調節することができる。
【００３５】
また、加速手段３に加速された枚葉物Ｓが、加速手段３の前途へ移動できる距離はストッパ６によって規定される。これにより、複数重なる枚葉物Ｓは、それぞれの短辺が揃った状態を保ち、第２の搬送手段４に対して位置決めされる。また、支持体４１の上面４１１〜４１４の高さを既述のように設定しているため、第２の搬送手段４の支持体４１が枚葉物Ｓを受止めるときに、枚葉物Ｓが、支持体４１と第２牽体４２との間に落ち込むのを予防できる。
【００３６】
続いて、複数重なる枚葉物Ｓは、第２の搬送手段４の支持体４１に受止められた直後に、長辺を丁合爪４３に掛止される。この状態で、複数重なる枚葉物Ｓが第２牽体４２の走行に従い搬送される過程で、個々の枚葉物Ｓの長辺が丁合爪４３に突合わされ、複数重なる枚葉物Ｓのそれぞれの長辺同士が揃えられる。ここまでに述べた通り、第１の搬送方向と第２の搬送方向とは直交するので、複数重なる枚葉物Ｓは、それぞれの短辺同士が丁合爪２３によって揃えられた後、それぞれの短辺に直交する長辺同士が丁合爪４３によって揃えられる。即ち、第１の搬送手段２に続いて第２の搬送手段４によって搬送される過程で、複数重なる枚葉物Ｓの丁合が完了される。
【００３７】
最後に、複数重なる枚葉物Ｓは、第２の搬送手段４の終端に達し、高速ローラ５１に乗り上げる。そして、複数重なる枚葉物Ｓは、高速ローラ５１の回転に従い第２の搬送手段４の終端から押し出される。これにより、例えば封筒詰め装置のガイドレールの上に、複数重なる枚葉物Ｓが押し出されるようにしても良い。
【００３８】
以上に述べた枚葉物搬入装置１によれば、第１の搬送手段２が先行の枚葉物Ｓを搬送すると同時に、これに後続する枚葉物Ｓを搬送することができる。更に、第２の搬送手段４は、加速手段３から落下する先行の枚葉物Ｓを受止めた時点で、これを直ちに第２の搬送方向へ移動させる。このため、後続の枚葉物Ｓが加速手段３から第２の搬送手段４に落下するまでの間に、先行の枚葉物Ｓを加速手段３の前途から逸らすことができるので、先行の枚葉物Ｓに後続の枚葉物Ｓが重なるという不具合を避けることができる。
【００３９】
また、第１の搬送手段２と第２の搬送手段４との間に、加速手段３を配置しているので、例えば枚葉物搬入装置１が緊急停止した時点で、枚葉物Ｓが第１の搬送手段２の途中に位置すれば、この枚葉物Ｓは第１の搬送手段２の途中で停止する。或いは、緊急停止する直前に、先行の枚葉物Ｓが加速手段３まで達していれば、先行の枚葉物Ｓは第１の搬送手段２の前途へ飛び出し、後続の枚葉物Ｓが第１の搬送手段２の途中で停止する。従って、枚葉物Ｓが第１の搬送手段２から第２の搬送手段４へ乗り移る過程で、両者が停止することは起こり難いので、両者の間に枚葉物Ｓが詰まるのを予防することができる。
【００４０】
尚、本発明は、その趣旨を逸脱しない範囲で当業者の知識に基づいて種々なる改良、修正、又は変形を加えた態様でも実施できる。枚葉物Ｓが正方形であっても良く、又は枚葉物Ｓが冊子であっても良い。
【産業上の利用可能性】
【００４１】
本発明は、枚葉物を高速でしかも連続して封筒詰め装置に搬入できるので、例えばダイレクトメールで商品カタログを郵送する場合のように、封筒詰め装置が一度に大量の枚葉物を短時間で封筒詰めするのに有益な技術である。
【図面の簡単な説明】
【００４２】
【図１】本発明の実施例１に係る枚葉物搬入装置の斜視図。
【図２】本発明に係る枚葉物搬入装置の構成を示すブロック図。
【図３】本発明の実施例１に係る枚葉物搬入装置に適用した加速手段の側面図。
【図４】本発明の実施例１に係る枚葉物搬入装置に適用した第２の搬送手段の断面図。
【図５】本発明の実施例１に係る枚葉物搬入装置の動作を説明する側面図。
【図６】従来の搬入コンベヤ、及び封筒詰め装置の平面図。
【符号の説明】
【００４３】
１：枚葉物搬入装置
２：第１の搬送手段
３：加速手段
４：第２の搬送手段
５：押出手段
６：ストッパ
７：送風手段
２２：第１牽体
２３，４３：丁合爪
３３：第２牽体
３４：高速搬送手段
３６，３７：ウェイトローラ
４１：支持体
５１：高速ローラ
Ｓ：枚葉物
【図１】
2008265910.tif 000003
【図２】
2008265910.tif 000004
【図３】
2008265910.tif 000005
【図４】
2008265910.tif 000006
【図５】
2008265910.tif 000007
【図６】
2008265910.tif 000008